(57)【要約】【課題】紙おむつ等の備品を良好に収納させ、かつ良好に取り出すことができて、収納状態がすっきりとした意匠性を呈する立ちベッドを提供する。【解決手段】乳幼児を寝かせることのできる上段ベッド面７の下方に、備品を載せることのできる下段棚板１０を備え、下段棚板１０は、左右両端縁が左右に配設された断面コの字状のレール９，９内にスライド可能に嵌め込まれて、下段棚板１０は良好に外側へ引き出し可能に構成されている。また、下段棚板１０の先端には、上下回動可能に扉１１が連結されている。【選択図】図２
2007301109.tif 000002
【特許請求の範囲】
【請求項１】
乳幼児を寝かせることのできる上段ベッド面の下方に、備品を載せることのできる下段棚板を有し、該下段棚板は外側へ引き出し可能に構成されていることを特徴とする立ちベッド。
【請求項２】
前記下段棚板は、その左右両端縁が左右に配設された断面コの字状のレール内にスライド可能に嵌め込まれていることを特徴とする請求項１に記載の立ちベッド。
【請求項３】
前記下段棚板の先端には上下回動可能に扉が連結され、該扉は前記下段棚板の収納時には該下段棚板と前記上段ベッド面間に立ち上げ固定されることを特徴とする請求項１または請求項２に記載の立ちベッド。
【請求項４】
前記下段棚板の下方にも収納空間が設けられていることを特徴とする請求項１または請求項２または請求項３に記載の立ちベッド。
【請求項５】
前記左右のレールは別体で枠組みされて取り付けられていることを特徴とする請求項２に記載の立ちベッド。
【発明の詳細な説明】
【技術分野】
【０００１】
本発明は、乳幼児用の立ちベッドに関するものである。
【背景技術】
【０００２】
従来、特許文献１に開示されているようなベビーベッドが存在し、このベビーベッドは、ベッド床部材の下方に設ける棚板の取付位置を変更できるように構成したものである。
【特許文献１】特開２００１−１０４１１４号公報
【発明の開示】
【発明が解決しようとする課題】
【０００３】
上記特許文献１に開示されているベビーベッドでは、棚板上に赤ちゃん用の備品等を収納することができるが、収納した備品等を取り出しにくいという問題点があり、また、棚板上の備品が外側へ落下しやすく、また収納されている備品が露出して見栄えが悪くなるという問題点があった。
【課題を解決するための手段】
【０００４】
本発明は上記従来の問題点に鑑み案出したものであって、良好に収納した備品を取り出すことができ、また、備品が外側へ落下することもなく、すっきりとした収納状態が得られる立ちベッドを提供せんとするものであり、その請求項１は、乳幼児を寝かせることのできる上段ベッド面の下方に、備品を載せることのできる下段棚板を有し、該下段棚板は外側へ引き出し可能に構成されていることである。
また、請求項２は、前記下段棚板は、その左右両端縁が左右に配設された断面コの字状のレール内にスライド可能に嵌め込まれていることである。
また、請求項３は、前記下段棚板の先端には上下回動可能に扉が連結され、該扉は前記下段棚板の収納時には該下段棚板と前記上段ベッド面間に立ち上げ固定されることである。
また、請求項４は、前記下段棚板の下方にも収納空間が設けられていることである。
また、請求項５は、前記左右のレールは別体で枠組みされて取り付けられていることである。
【発明の効果】
【０００５】
本発明の立ちベッドは、乳幼児を寝かせることのできる上段ベッド面の下方に、備品を載せることのできる下段棚板を有し、該下段棚板は外側へ引き出し可能に構成されていることにより、下段棚板上に紙おむつ等の備品を良好に載せて収納させておくことができ、棚板を引き出して容易に奥側の備品を取り出すことができ、使用勝手が良好なものとなる。
【０００６】
また、前記下段棚板は、その左右両端縁が左右に配設された断面コの字状のレール内にスライド可能に嵌め込まれていることにより、棚板はコの字状のレール内に嵌め込まれ、棚板の支持が強固なものとなり、棚板は良好にレールに沿ってスライド移動させて引き出すことができる。
【０００７】
また、前記下段棚板の先端には上下回動可能に扉が連結され、該扉は前記下段棚板の収納時には該下段棚板と前記上段ベッド面間に立ち上げ固定されることにより、棚板の収納時には扉が立ち上げ固定されて、この扉により前面側が塞がれ、棚板上に載せられている備品等が外側へ落下することがなく、また、扉で遮られて備品が露出することなく、すっきりとした状態で収納することができるものとなる。
【０００８】
また、前記下段棚板の下方にも収納空間が設けられていることにより、棚板の下方の空間内にも備品等を良好に収納できるものとなる。
【０００９】
また、前記左右のレールは別体で枠組みされて取り付けられていることにより、レールを別体で枠組みしてベッドに組み付けることで、既存のベッドにも良好に枠組みしたレールを取り付け、引き出し可能に棚板を設けることができるものとなる。
【実施例】
【００１０】
以下、本発明の実施例を図面に基づいて説明する。
図１は、立ちベッドの斜視構成図であり、立ちベッド１は、四隅に縦柱２ａ，２ｂ，２ｃ，２ｄが立設され、それぞれの縦柱２ａ，２ｂ，２ｃ，２ｄの下端には転動可能なキャスター２０が取り付けられている。この四隅の縦柱２ａ，２ｂ，２ｃ，２ｄは、上段の横枠３で連結されており、横枠３の下方にも平行に横枠４が設けられ、さらに横枠４の下方にも平行に横枠５が設けられて、横枠３，４，５で縦柱２ａ，２ｂ，２ｃ，２ｄが連結されている。
横枠３から横枠５に亘り横方向へ所定間隔で複数の縦枠６が立設されており、この複数の縦枠６で内側を囲むように構成されている。
【００１１】
前記横枠４には、乳幼児を寝かせることのできる上段ベッド面７が設けられており、この上段ベッド面７より上方は乳幼児用のベッドとして使用されるものである。
なお、上段ベッド面７の上方の前面側は、上下方向に開閉可能な開閉枠体８となっており、開閉枠体８を開けて上段ベッド面７上の乳幼児を出し入れできるように構成されている。
【００１２】
また、横枠５には、金属製のレール９，９が平行に組み付けられており、この一対のレール９，９は、断面コの字状に形成されており、この一対のレール９，９内には下段棚板１０がスライド移動可能に嵌め込まれている。即ち、一対の断面コの字状のレール９内に、下段棚板１０の左右両側縁がそれぞれ嵌め込まれてスライド可能であり、下段棚板１０はレール９，９にガイドされて良好に前面側へ引き出すことができるものである。この下段棚板１０上には、紙おむつ等の赤ちゃん用の備品を載せて収納しておくことができるものである。
なお、横枠５の下方にはキャスター２０との間に空間が形成されており、この空間Ｓ内にも良好に備品を収納できるものである。
【００１３】
前記下段棚板１０の前端には、図２に示すように、ヒンジ部１２を介して上下方向に回動可能に扉１１が連結されており、この扉１１は下段棚板１０を図２のように引き出した状態では下方側へ折れ曲がり、扉１１の下端を床面に設置させて、この扉１１で下段棚板１０を強固に略水平状態に支持することができるものである。
なお、扉１１側の下段棚板１０には上方へ突出して突起１３が設けられており、この突起１３を手で握って下段棚板１０を良好にレール９，９に沿ってスライド移動させることができるものである。
【００１４】
下段棚板１０を立ちベッド１内に収納させた状態で扉１１をヒンジ部１２を介して上方へ立ち上げ、図１のように、扉１１の上端を横枠４の下面に係止させて、扉１１で横枠４，５間の前面を閉ざすことができ、前面側からは下段棚板１０上に載せられている紙おむつ等の備品が隠されて、すっきりとした収納状態が得られるものである。
なお、扉１１には乳幼児の好む絵等を描いておけば、立ちベッド１の全体的な意匠も向上するものとなる。
なお、図１のように扉１１を立設固定させた状態では、下段棚板１０上に載せられている紙おむつ等が前面側へ落下してくることがなく、良好な収納状態が得られるものである。
【００１５】
なお、立ちベッド１は、縦柱２ａ，２ｂ，２ｃ，２ｄ、横枠３，４，５及び縦枠６は木製であるが、レール９，９を金属で枠組み形成させておき、この枠組み形成させたレール９，９を横枠５内に嵌め込んで固定するような構成であっても良く、別にレール９，９を枠組み形成して既存の立ちベッドに取り付けて、レール９，９に沿ってスライド移動できる下段棚板１０，扉１１を後発的に既存の立ちベッドに取り付けることもできるものである。
【図面の簡単な説明】
【００１６】
【図１】立ちベッドの収納状態の斜視構成図である。
【図２】下段棚板を引き出した状態の斜視構成図である。
【符号の説明】
【００１７】
１  立ちベッド
２ａ，２ｂ，２ｃ，２ｄ  縦柱
３，４，５  横枠
６  縦枠
７  上段ベッド面
８  開閉枠体
９  レール
１０  下段棚板
１１  扉
１２  ヒンジ部
１３  突起
Ｓ  空間
【図１】
2007301109.tif 000003
【図２】
2007301109.tif 000004